(57)【要約】【課題】組み立て作業時に作業効率が向上するシリンダ錠を提供する。【解決手段】シリンダ錠の連結部材と解錠部材との間にカラーを介在させ、該カラーに設けられた係合手段によって連結部材および解錠部材を回転させながらばねを圧縮して係合させることによってそれらの部材が一体に組み付けられ、さらにクリップ部材を使用することによって、シリンダ錠の組立て作業の際に予め組み付けられた連結部材とばねと解錠部材とをワンタッチで組み付けることができ作業効率が向上する。【選択図】        図１
2006200351.tif 000002
【特許請求の範囲】
【請求項１】
基体に固定されたハウジングと、該ハウジングに内装されたシリンダと、該シリンダと係合する出没可能なタンブラーを有し、正規キーの挿入によりタンブラーが没入して前記シリンダとの係合が外れて該シリンダ内を回転するロータと、前記シリンダと共に軸方向に移動可能とされ且つ前記ロータに着脱可能に嵌合された連結部材と、該連結部材にこれと一体に回転可能に係合され、ロック装置に伝達部材を介して連結される解錠部材と、前記ハウジングとシリンダとの間に設けられ、前期シリンダを前記解錠部材側に移動させると共に前記連結部材とロータとの連結を解除するカム手段と、前記連結部材をロータと嵌合する方向に付勢するばねと、から構成されるシリンダ錠であって、前記連結部材とばねと解錠部材とが予め一体に組み付けられて構成されたことを特徴とするシリンダ錠。  
【請求項２】
前記連結部材と解錠部材との間にカラーを介在させ、該カラーが連結部材および解錠部材に係合することによってそれらの部材が一体に組み付けられたことを特徴とする請求項１記載のシリンダ錠。
【請求項３】
前記ロータの前記解錠部材側の先端部に形成された溝部と、予め前記解錠部材に着脱可能に装着されたクリップ部材とが係合し一体に組み付けられて構成されたことを特徴とする請求項１記載のシリンダ錠。
【請求項４】
前記クリップ部材は、前記解錠部材に着脱可能に装着され、前記ばねの内方に配置されることを特徴とする請求項３記載のシリンダ錠。
【発明の詳細な説明】
【技術分野】
【０００１】
本発明は、車両用ドアロック装置などの施錠及び解錠を行うシリンダ錠に関し、特に前記ロック装置の不正解除を防止できるシリンダ錠に関する。
【背景技術】
【０００２】
シリンダ錠は、一般に車体などの基体に固定され係合溝を有するハウジングと、ハウジング内に回転可能に設けられた没入可能なタンブラーを有するロータと、ロータの小径部に結合されると共にロック装置に連係された解錠部材とにより概略構成されている。この構成において、正規のキーを挿入してロータを回転すると、ロータの外周面にタンブラーが没入して、ハウジング内でロータが回転する。そのため、ロータと共に解錠部材も回転し、ロッド等の伝達部材を介してロック装置の施錠及び解錠が可能になる。
【０００３】
これに対し、シリンダ錠に不正なキーまたは不正な器具を挿入すると、ロータから突出するタンブラーがハウジングの係合溝に係合したままとなり、ロータが回転せずロック装置の不正解除が阻止される。しかし、そのままの状態でロータを無理やり回転させると、ハウジングの係合溝と係合するタンブラーが破損し、ロータ装置が不正に解除されるおそれがある。
【０００４】
そこで、基体に固定されたハウジングと、該ハウジングに内装されたシリンダと、該シリンダと係合する出没可能なタンブラーを有し、正規キーの挿入によりタンブラーが没入して前記シリンダとの係合が外れて該シリンダ内を回転するロータと、前記シリンダと共に軸方向に移動可能とされ且つ前記ロータに着脱可能に嵌合された嵌合連結部材と、該嵌合連結部材にこれと一体に回転可能に係合され、ロック装置にロッド等の伝達部材を介して連結される解錠部材と、前記ハウジングとシリンダとの間に設けられ、前記シリンダの回転に伴い該シリンダを前記解錠部材側に移動させると共に前記嵌合連結部材とロータとの連結を解除するカム手段と、前記嵌合連結部材をロータと嵌合する方向に付勢するばねとから構成されているシリンダ錠が提案されている（特許文献１参照。）。また、本発明者らは上記シリンダ錠を改良し、シリンダが解錠部材側に移動する際にのみ、ロータに対し回転方向で係合する係合部を前記シリンダに設け、前記ロータと前記シリンダを係合させることにより、次に正規のキーを挿入してロータを回転させ、ロータと係合するシリンダを回転させることによって前記ロータと連結部材を連結させ、正常な解錠操作を可能としたロック装置の不正解除を防止できるシリンダ錠を提案している（特許文献２参照。）。
【特許文献１】特開平１３−２６２８７５号公報
【特許文献２】特願２００４−１９６８６７号公報
【発明の開示】
【発明が解決しようとする課題】
【０００５】
上記の構成によって、不正なキーでロータを回転させると、シリンダはこれと共に回転し、解錠部材側の方向、つまりロータの後端方向に軸移動し、同時に嵌合連結部材も後端方向に軸移動する。これにより、嵌合連結部材とロータとの係合が解除されロック装置の不正解除を防止できるものであるが、上記いずれのシリンダ錠もハウジングの後端に連結部材、ばね、解錠部材を順次組み付ける構成になっており、まず前記ハウジングの前方からロータを挿入し、後端に嵌合連結部材を取り付け、つぎにばねの一方の端部を前記ハウジングの一方のばね係合部に係合させ、ハウジング方向に捻りながら圧縮させて、前記ばねの他方の端部を前記ハウジングの他方のばね係合部に係合させ、前記ばねを圧縮させたまま解錠部材を取り付ける必要があり、取り付け作業には専用の治具を必要とし、しかも作業性が悪いという問題点があった。
【０００６】
本発明は、上記問題点に鑑みなされたもので、ロック装置の不正解除を防止できるシリンダー錠であって、連結部材とばねとカラーと解錠部材とが予め一体に組み付け可能に構成され、容易に組み付け作業ができるシリンダ錠に関するものである。
【課題を解決するための手段】
【０００７】
このため本発明は、基体に固定されたハウジングと、該ハウジングに内装されたシリンダと、係合する出没可能なタンブラーを有し、正規キーの挿入によりタンブラーが没入して前記シリンダとの係合が外れて該シリンダ内を回転するロータと、前記シリンダと共に軸方向に移動可能とされ且つ前記ロータに着脱可能に嵌合された連結部材と、該連結部材にこれと一体に回転可能に係合され、ロック装置に伝達部材を介して連結される解錠部材と、前記ハウジングとシリンダとの間に設けられ、前期シリンダを前記解錠部材側に移動させると共に前記連結部材とロータとの連結を解除するカム手段と、前記連結部材をロータと嵌合する方向に付勢するばねと、から構成されるシリンダ錠であって、前記連結部材とばねと解錠部材とが予め一体に組み付けられて構成されたことを第１の特徴とする。
【０００８】
また、前記連結部材と解錠部材との間にカラーを係合させ、該カラーが連結部材おおび解錠部材に係合することによってそれらの部材が一体に組み付けられたことを第２の特徴とする。
【０００９】
そして、前記ロータの前記解錠部材側の先端部に形成された溝部と、予め前記解錠部材に着脱可能に装着されたクリップ部材とが係合し一体に組み付けられて構成されたことを第３の特徴とする。
【００１０】
さらに、前記クリップ部材は、前記解錠部材に着脱可能に装着され、前記ばねの内方に配置されることを第４の特徴とする。
【発明の効果】
【００１１】
本発明に係るシリンダ錠によれば、不正なキー操作でロータを回転させると、カム手段を介してシリンダがロータの後端方向に軸移動し、同時に連結部材も後端方向に軸移動し、前記連結部材と前記ロータとの嵌合が解除されロック装置の不正解除を防止できる効果があり、しかも前記ロータがキー挿脱位置以外の位置に放置されても、次に正規のキーを挿入してロータを回転させ、該ロータと係合するシリンダーを回転させると共に連結部材をロータ側に軸移動させることにより、前記連結部材と前記ロータが嵌合連結され正常な解錠操作ができるという優れた効果を有する。
【００１２】
また前記連結部材とばねと解錠部材とが予め一体に組み付けられて構成されているため、組みつけられた前記連結部材とばねと解錠部材を、容易にハウジングに組み付けできるという優れた効果を有する。
【００１３】
しかも、予め前記解錠部材にクリップ部材が着脱可能に装着されているため、ワンタッチでローターと前記解錠部材とが係合するため、シリンダー錠の組み付け作業性が向上するという優れた効果を有する。
【００１４】
さらに、前記クリップ部材がばね部材の内方に配置され、前記解錠部材に装着されているため、組みつけられた前記連結部材とばねと解錠部材の軸方向長さを短くできるという優れた効果を有する。
【発明を実施するための最良の形態】
【００１５】
以下、本発明を実施するための最良の形態を図面に示す実施例に基づいて説明するが、本発明のシリンダー錠は本実施例に限定されないことは言うまでもない。図１は本発明の一実施例に係るシリンダー錠を示す分解斜視図、図２は、図１の斜視図、図３は図１の詳細分解斜視図、図４は本発明の一実施例に係るシリンダー錠のキー操作を説明する断面図、図５は連結部材とばねとカラーと解錠部材の組み付け状態を説明する説明図である。図６は他の実施例を示す説明断面図、図７はさらに他の実施例を示す説明断面図、図８は図６の部分断面図、図９は図７の部分断面図である。
【実施例１】
【００１６】
図１、図２に示すように、本発明に係るシリンダー錠は、基体である車体開閉部に固定されたハウジング１と、このハウジング１内に回転自在に装着され出没可能なタンブラー有する段付形状のロータ２と、このロータ２とハウジング１の間に回転自在に設けられた円筒形のシリンダ３と、前記ロータ２の後端部に連結された解錠部材５と、前記ロータ２の後端部に着脱可能に嵌合された連結部材４及びリターンスプリング６と、連結部材４とリターンスプリング６の間に配置されるカラー７とからなっている。
【００１７】
上記各構成要素を図１及び図３によってさらに詳しく説明すると、ハウジング１の前端側縁部にはロータ２のフランジ部８の当接面９と当接する当接部１０が周方向に対向して形成されており、前記当接部１０の近傍には台形状のカム山１１が周方向に形成されている。ハウジング１内には、前端側から前記ロータ２が回転可能に挿入され、ロータ２の軸方向の移動は、ハウジング１の当接部１０とロータ２の当接面９とが当接することにより規制される。
【００１８】
ロータ２には、図１に示すように、後述する係合溝１３と係合する二列のタンブラー１４が出没可能に設けられると共に、フランジ部８の前面にはキー溝１５が形成されている。キー溝１５に正規のキーを挿入することで、タンブラー１４が没入して係合溝１３との係合が解除され、解除状態では、正規のキー操作によるロータ２の回転により施解錠が可能になる。ロータ２はフランジ部８から延出する前部側を大径部２７とされ、後部側を小径部１２とされている。小径部１２の大径部２７近傍には周方向に形成された先端に凹形状部を有する一対の連れ回し突起部１６が設けられ、前記係溝１３と後述する連結部材４に設けられた係合凹部２３と係合する。また、小径部１２の後端には、周方向に延びるＥリング１７嵌合用の周溝１９が設けられている。
【００１９】
上記ロータ２の大径部２７には、シリンダ３が回転可能に装着され、シリンダ３の前端面にはカム溝２０が形成され、このカム溝２０には、ハウジング１のカム山１１が係合している。カム溝２０のカム面形状は、カム山１１と補完する凹部として形成され、これによってシリンダ３の回転に伴いカム山１１を介して、シリンダ３は軸方向にカム山の高さ分移動するようになっている。シリンダ３の内面には軸方向に延びる二列の係合溝１３が対向して形成され、この係合溝１３にはロータ２の周面より突出する二列のタンブラー１４が係合する。
【００２０】
ロータ２の小径部１２には、シリンダ３の後端と当接する連結部材４と、連結部材４をシリンダ３側に常時付勢するリターンスプリング６と、樹脂製の略Ｃ字形状カラー７と、解錠部材５が、後述するカラー７に設けられた係合手段によって係合され一体に構成され装着されている。連結部材４は挿通孔２２、をもつ円板状に形成されており、挿通孔２２はその内面にロータ２の小径部１２の連れ回し突起部１６と対応する一対の係合凹部２３が設けられ、これにより連結部材４の係合凹部２３には、小径部１２の連れ回し突起部１６が着脱可能に係合する。
【００２１】
連結部材４の背面には、軸方向に延びる係合突起２４が所定位置に設けられ、係合突起２４の略中央部にはカラー７の外周面に設けられた１対の係合凸部２８と係合する係合孔部２９が設けられている。連結部材４の係合突起２４の内周面と、カラー７の外周面とは当接面とされ、カラー７の内周面はリターンスプリング６の当接面とされている。カラー７の後端部には係合凸部２８の軸方向に延出して１対の鉤型係合部３０が対向して設けられている。またリターンスプリング６は、連結部材４をハウジング１方向に常時付勢すると同時に連結部材４をハウジング１に対して初期の回転位置に回転復帰するようにされている。
【００２２】
リターンスプリング６の後方に配置された解錠部材５には、連結部材４の係合突起２４が係合する係合孔部２５と、係合孔部２５内に設けられカラー７の鉤型係合部３０が係合する係合段部３１と、ロータ２の小径部１２が挿通する挿通孔２６とが形成されている。解錠部材５の前面縁部にはリターンスプリング６の一端部と係合する脚部３２が形成され、後述する連結部材４とカラー７とリターンスプレイング６と解錠部材５との組み付け時のリターンスプリング６の回転・圧縮作業に使用される。挿通孔２６にはロータ２の小径部１２が回転可能に挿通され、小径部１２の周溝１９には、抜け止め用のＥリング１７が嵌合される。解錠部材５の係合孔部２５には連結部材４の係合突起２４とカラー７の鉤型係合部３０が軸方向に移動可能且つ回転不能に係合している。つまり解錠部材５は連結部材４に対し、連結部材４の回転に伴い、軸周り方向にのみ一体的に回転可能とされている。さらに解錠部材５にはワイヤ（図示せず）が取り付けられロック装置（図示せず）に連結されている。
【００２３】
次に、連結部材４とリターンスプリング６とカラー７と解錠部材５との組み付け作業について図４に基づいて説明する。まず連結部材４にカラー７を係合突起２４の内面に当接させて挿入し、カラー７の係合凸部２８と連結部材４の係合孔部２９とを係合させる。次にリターンスプリング６の一端部を係合突起２４の側端部に係止し、カラー７の内面に当接させて挿入させると共に、リターンスプリング６の他端部を解錠部材５の脚部３２の側端部に係止させ、解錠部材５を回転させながら連結部材４方向に圧縮し、係合孔部２５に係合突起２４と鉤型係合部３０を挿入し固定する。この際鉤型係合部３０は係合段部３１と所謂パッチン係合するため容易に固定することができる。
【００２４】
このように、連結部材４とリターンスプリング６とカラー７と解錠部材５が一体に組み付けられているため、本発明によるシリンダ錠はハウジング１の前端部よりロータ２を挿入し、一体に組み付けられた連結部材４とリターンスプリング６とカラー７と解錠部材５をハウジング１の後端部より挿入し、Ｅリング１７にてロータ２を止めることにより容易にシリンダの組み立てができる。
【００２５】
上記の構成において、正規のキーをキー溝１５に挿入して回転操作するとタンブラ１４が没入するので、係合溝１３との係合が外れてロータ２が回転する。ロータ２とカラー７と連結部材４が共に回転し、解錠部材５も回転する。これによりロータ２の回転位置に応じた施解錠が可能になる。
【００２６】
一方、不正なキーや器具を用いて回転操作した場合は、図５に示すようにタンブラ（図示せず）がシリンダ３の係合溝（図示せず）に係合したままであるのでロータ２と連係してシリンダ３も回転し、カム手段によって解錠部材５の方向に軸移動することから、ロータ２の係合突起部１６と連結部材４の係合凹部２３との係合が解除されて、ロータ２は空回りするようになる。このように連結部材４とロータ２の係合が解除されているため、ロータ２が回転しても連結部材４は回転せず、連結部材４と係合する解錠部材５も回転しないため、不正なキーや器具によるロック装置の不正な解除が防止できる。
【００２７】
ここで、不正なキーや器具がロータ２のキー挿脱位置以外で抜き取られ放置された状態では、図５に示すように連結部材４はシリンダ３共に解錠部材５の方向へ軸移動し、ロータ２の係合突起１６は連結部材４の係合凹部２３との係合が外れ、シりンダ３の内面の係合溝１３と係合しているため、次に正規のキーをキー溝１５に挿入しロータ２を回転させるとシリンダ３も回転し、カム手段によってシリンダ３がハウジング１方向に軸移動し、リターンスプリング６の軸方向の付勢によって連結部材４がシリンダ３と共にハウジング１方向に軸移動しロータ２と嵌合するため正常な解錠操作ができる。
【実施例２】
【００２８】
次に、図６及び図８で他の実施例を説明する。図に示すように、本発明のシリンダー錠の連結部材４とカラー７とリターンスプリング６と解錠部材５は予め一体に組み付けられている。また本実施例においては解錠部材５の脚部３２が連結部材４に設けられた係合孔部３３と係合する。さらに解錠部材５の挿通孔２６内面にはロータ２の先端部３４と当接する傾斜面３５が形成されると共に、挿通孔２６のリターンスプリング６方向外縁部３６には切り欠き部５１が形成され金属線材からなるクリップリング３７が装着される。先端部３５は略紡錘形状をしており、周方向にはクリップリング３７と係合する周溝１９が設けられ、挿通孔２６に回転可能に挿入される。クリップリング３７は金属線材を略瓢箪形に湾曲させ一端を開放して形成されており、切り欠き部５１に開放端を拡径させて装着される。
【００２９】
シリンダー錠の組み立ては、実施例１と同様であるが、予め一体に組み付けられた連結部材４とカラー７とリターンスプリング６と解錠部材５をハウジング１の後端部より挿入する。ロータ２の先端部３４はクリップリング３７を拡径しながら挿通孔２６方向に挿入され先端部３４は傾斜面３５と当接し、周溝１９にはクリップリング３７が縮径して係合するためワンタッチで組み立てが完了する。しかもリターンスプリング６の内方の解錠部材５にクリップリング３７が予め装着されているためＥリング１７による取り付けが不用となり解錠部材４の背面のＥリング１７取り付け構造が不用となるため、組みつけられた連結部材４とリターンスプリング６と解錠部材５の軸方向長さを短くできる。
【００３０】
上記のように組み立てられたシリンダー錠のキー操作とシリンダー錠の動作は実施例１と同様であり省略する。
【実施例３】
【００３１】
次に、図７及び図９でさらに他の実施例を説明する。本実施例において、クッリプリング３７は長方形の金属プレートからなり、長手方向両端部が夫々逆方向に所定の長さ曲げ加工され、さらに解錠部材５の外縁部３６の外径に合わせ略円筒形状に曲げ加工され、しかも切り欠き部５１に対応する位置において折り曲げ片３８が対向する位置に形成されている。クリップリング３７は実施例１と同様に解錠部材５の切り欠き部５１に折り曲げ片３８が係合する位置で予め装着され、さらに連結部材４とカラー７とリターンスプリング６と解錠部材５は一体に組み付けられている
【００３２】
シリンダー錠の組み立ては、実施例２と同様であり、予め一体に組み付けられた連結部材４とカラー７とリターンスプリング６と解錠部材５をハウジング１の後端部より挿入して、ロータ２の先端部３４をクリップリング３７の折り曲げ片３８をリング径方向に拡開させて挿通孔２６方向に挿入し、周溝１９に折り曲げ片３８が係合しワンタッチで組み立てが完了する。
【００３３】
上記のように組み立てられたシリンダー錠のキー操作とシリンダー錠の動作は実施例１と同様であり省略する。
【００３４】
以上のように本発明のシリンダ錠が構成されているため、不正なキーや器具でロータを回転させると、カム手段を介してシリンダがロータの後端方向に軸移動し、同時に連結部材も後端方向に軸移動し、前記連結部材と前記ロータとの嵌合が解除されロック装置の不正解除を防止でき、しかも前記ロータがキー挿脱位置以外の位置に放置されても、次に正規のキーを挿入してロータを回転させ、該ロータと係合するシリンダを回転させると共に連結部材をロータ側に軸移動させることにより、前記連結部材と前記ロータが嵌合連結され正常な解錠操作ができる。そして前記連結部材とばねとカラーと解錠部材とは、前記カラーに設けられた係合手段により一体に組み付けることが可能となり、しかもクリップ部材を予め前記解錠部材に着脱可能に装着されているためシリンダ錠の組み立て作業時に専用の治具を必要とせずにワンタッチで組み立てができるため作業効率が向上する。さらに前記クリップ部材は、前記ばねの内方に配置されているため、組みつけられた前記連結部材とばねと解錠部材の軸方向長さを短くできる。
【図面の簡単な説明】
【００３５】
【図１】本発明の一実施例に係るシリンダ錠を示す分解斜視図である。
【図２】本発明の一実施例に係るシリンダ錠の斜視図である。
【図３】図１の詳細分解斜視図である。
【図４】本発明の一実施例に係るシリンダー錠のキー操作の説明断面図である。
【図５】本発明の連結部材とばねとカラーと解錠部材の組み付け状態を説明する説明図である。
【図６】本発明の他の実施例に係るシリンダー錠の説明断面図である。
【図７】本発明のさらに他の実施例に係るシリンダー錠の説明断面図である。
【図８】図６の部分断面図である。
【図９】図７の部分断面図である。
【符号の説明】
【００３６】
１              ハウジング
２              ロータ
３              シリンダ
４              連結部材
５              解錠部材
６              リターンスプリング
７              カラー
８              フランジ部
９              当接面
１０              当接部
１１              カム山
１２              小径部
１３              係合溝
１４              タンブラー
１５              キー溝
１６              係合突起部
１７              Ｅリング
１８、２３        係合凹部
１９              周溝
２０              カム溝
２１              係合部
２２              挿通孔
２４              係合突起
２５、２９、３３  係合孔部
２６              挿通孔
２７              大径部
２８              係合凸部
３０              鉤型係合部
３１              係合段部
３２              脚部
３４              先端部
３５              傾斜面
３６              外縁部
３７              クッリプリング
３８              折り曲げ片
５１              切り欠き部
【図１】
2006200351.tif 000003
【図２】
2006200351.tif 000004
【図３】
2006200351.tif 000005
【図４】
2006200351.tif 000006
【図５】
2006200351.tif 000007
【図６】
2006200351.tif 000008
【図７】
2006200351.tif 000009
【図８】
2006200351.tif 000010
【図９】
2006200351.tif 000011
【手続補正書】
【提出日】平成17年4月8日(2005.4.8)
【手続補正１】
【補正対象書類名】図面
【補正対象項目名】図１
【補正方法】変更
【補正の内容】
【図１】
2006200351.tif 000012
【手続補正２】
【補正対象書類名】図面
【補正対象項目名】図３
【補正方法】変更
【補正の内容】
【図３】
2006200351.tif 000013
【手続補正３】
【補正対象書類名】図面
【補正対象項目名】図４
【補正方法】変更
【補正の内容】
【図４】
2006200351.tif 000014
【手続補正４】
【補正対象書類名】図面
【補正対象項目名】図５
【補正方法】変更
【補正の内容】
【図５】
2006200351.tif 000015